【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
自動ファイバ配置マシンと共に使用するために、ファイバのトウをある長さに自動的に切断するために使用されるカッターの動作を監視する方法において、
マシンにより配置された一列に並んだトウの少なくとも一部の画像を記録し、
トウの配置期間中に各カッターがトウをある長さに切断するために付勢されるときの時間点を記録し、
不一致がトウの配置に存在するか否かを検出するために記録された画像を使用し、
記録されている時間点を検出された不一致と相関することによって、カッターが検出された不一致の原因であるか否かを決定する監視方法。
【請求項２】
画像の使用は記録された時間点と列中のトウとを相関させる処理を含んでいる請求項１記載の方法。
【請求項３】
画像の使用は、不一致を表すことができる記録された画像中の特性を測定する処理を含んでいる請求項１又は２に記載の方法。
【請求項４】
画像の使用は特性測定の結果を参照基準のセットと比較する処理を含んでいる請求項３記載の方法。
【請求項５】
さらに、検出された不一致を分類し、
不一致の分類に基づいてカッターの動作の故障を宣言する処理を含んでいる請求項１〜４のいずれかに記載の方法。
【請求項６】
さらに、記録された画像中の各トウを、トウをある長さに切断するために使用されるカッターの動作状態と可視的に関連付ける請求項１〜５のいずれかに記載の方法。
【請求項７】
さらに、記録された画像を可視的に表示し、
表示された画像中のトウにそれぞれ隣接する各カッターの動作状態を可視的に表示する請求項１〜６のいずれかに記載の方法。
【手続補正２】
【補正対象書類名】明細書
【補正対象項目名】００１１
【補正方法】変更
【補正の内容】
【００１１】
また、本発明は以下に記載する態様を含む。
１．アクチュエイタの動作を示している時間に関するデータを記録し、
トウが配置されるときの各トウの画像を記録し、
記録されたデータを記録された画像と関連付けるステップを含んでいるファイバのトウを処理するための自動ファイバ配置マシンで使用されるアクチュエイタの動作を監視する方法。
【手続補正３】
【補正対象書類名】明細書
【補正対象項目名】００１２
【補正方法】変更
【補正の内容】
【００１２】
２．前記時間に関するデータの記録は、
アクチュエイタがトウを処理するように付勢されるときタイミング信号を発生し、
前記タイミング信号を処理するためにプロセッサへ前記タイミング信号を送信し、
前記トウの配置を可能にするのに十分な時間の長さだけタイミング信号の処理を遅延させるステップを含んでいる態様１記載の方法。
【手続補正４】
【補正対象書類名】明細書
【補正対象項目名】００１３
【補正方法】変更
【補正の内容】
【００１３】
３．態様１記載の方法により監視されるアクチュエイタを有する自動化ファイバ配置マシンにより製造される航空機サブアセンブリ。
【手続補正５】
【補正対象書類名】明細書
【補正対象項目名】００１４
【補正方法】変更
【補正の内容】
【００１４】
４．記録されたデータを関連付けることは、アクチュエイタが適切に機能しているか否かの可視的指示の近くに各記録された画像を配置することを含んでいる態様１記載の方法。
【手続補正６】
【補正対象書類名】明細書
【補正対象項目名】００１５
【補正方法】変更
【補正の内容】
【００１５】
５．時間に関するデータの記録は、アクチュエイタがトウを処理するために付勢されるときの時間点を記録処理を含み、
画像の記録はトウの一連の画像の記録を含み、
前記記録されたデータの関連付けは記録された画像をアクチュエイタの動作を表す可視的指示の近くに表示することを含んでいる態様１記載の方法。
【手続補正７】
【補正対象書類名】明細書
【補正対象項目名】００１６
【補正方法】変更
【補正の内容】
【００１６】
６．さらに、前記記録された画像を解析し、
アクチュエイタの動作に関連する不一致がトウの配置中に存在するか否かを決定することを含んでいる態様１記載の方法。
【手続補正８】
【補正対象書類名】明細書
【補正対象項目名】００１７
【補正方法】変更
【補正の内容】
【００１７】
７．画像の解析はトウの配置の不一致を表している記録された画像の特性の測定を含んでいる態様６記載の方法。
【手続補正９】
【補正対象書類名】明細書
【補正対象項目名】００１８
【補正方法】変更
【補正の内容】
【００１８】
８．自動ファイバ配置マシンと共に使用するために、ファイバのトウを長さに自動的に切断するために使用されるカッターの動作を監視する方法において、
マシンにより配置されたトウの行の少なくとも一部の画像を記録し、
トウの配置期間中に各カッターがトウを長さに切断するために付勢されるときの時間点を記録し、
不一致がトウの配置に存在するか否かを検出するために記録された画像を使用し、
記録されている時間点を検出された不一致と相関することによって、カッターが検出された不一致の原因であるか否かを決定する監視方法。
【手続補正１０】
【補正対象書類名】明細書
【補正対象項目名】００１９
【補正方法】変更
【補正の内容】
【００１９】
９．画像の使用は記録された時間点と行中のトウとを相関させる処理を含んでいる態様８記載の方法。
【手続補正１１】
【補正対象書類名】明細書
【補正対象項目名】００２０
【補正方法】変更
【補正の内容】
【００２０】
１０．態様８記載の方法により監視されるトウカッターを有する自動ファイバ配置マシンを使用して製造されるビークルのサブアセンブリ。
【手続補正１２】
【補正対象書類名】明細書
【補正対象項目名】００２１
【補正方法】変更
【補正の内容】
【００２１】
１１．画像の使用は、不一致を表すことができる記録された画像中の特性を測定する処理を含んでいる態様８記載の方法。
【手続補正１３】
【補正対象書類名】明細書
【補正対象項目名】００２２
【補正方法】変更
【補正の内容】
【００２２】
１２．画像の使用は特性測定の結果を基準の標準セットと比較する処理を含んでいる態様１１記載の方法。
【手続補正１４】
【補正対象書類名】明細書
【補正対象項目名】００２３
【補正方法】変更
【補正の内容】
【００２３】
１３．さらに、検出された不一致を分類し、
不一致の分類に基づいてカッターの動作の故障を宣言する処理を含んでいる態様８記載の方法。
【手続補正１５】
【補正対象書類名】明細書
【補正対象項目名】００２４
【補正方法】変更
【補正の内容】
【００２４】
１４．さらに、記録された画像中の各トウを、トウを長さに切断するために使用されるカッターの動作状態と可視的に関連付ける態様８記載の方法。
【手続補正１６】
【補正対象書類名】明細書
【補正対象項目名】００２５
【補正方法】変更
【補正の内容】
【００２５】
１５．さらに、記録された画像を可視的に表示し、
表示された画像中にトウに近い各カッターの動作状態をそれぞれ可視的に表示する態様８記載の方法。
【手続補正１７】
【補正対象書類名】明細書
【補正対象項目名】００２６
【補正方法】変更
【補正の内容】
【００２６】
１６．ファイバ配置マシンでトウを長さに切断するために使用されるカッターの動作を監視するシステムにおいて、
マシンにより配置されたトウの画像を記録する画像記録手段と、
記録された画像を使用してトウの配置の不一致を検出する手段と、
不一致をカッターの動作と相関する手段とを具備しているシステム。
【手続補正１８】
【補正対象書類名】明細書
【補正対象項目名】００２７
【補正方法】変更
【補正の内容】
【００２７】
１７．さらに各カッターの付勢を検出し、カッターがトウを長さに切断するために付勢されるときの時間点をそれぞれ表すタイミング信号を発生する手段を具備している態様１６記載のシステム。
【手続補正１９】
【補正対象書類名】明細書
【補正対象項目名】００２８
【補正方法】変更
【補正の内容】
【００２８】
１８．画像記録手段は、
配置されているトウを照明する手段と、
配置されているトウの時間にわたる一連の画像を記録する少なくとも１つのカメラを含んでいる態様１６記載のシステム。
【手続補正２０】
【補正対象書類名】明細書
【補正対象項目名】００２９
【補正方法】変更
【補正の内容】
【００２９】
１９．照明手段は少なくとも１つのレーザを含んでいる態様１８記載のシステム。
【手続補正２１】
【補正対象書類名】明細書
【補正対象項目名】００３０
【補正方法】変更
【補正の内容】
【００３０】
２０．相関手段はプログラムされたコンピュータを含んでいる態様１６記載のシステム。
【手続補正２２】
【補正対象書類名】明細書
【補正対象項目名】００３１
【補正方法】変更
【補正の内容】
【００３１】
２１．さらに画像記録手段により記録された画像を表示するためのディスプレイを含んでいるユーザインターフェースを具備している態様１６記載のシステム。
【手続補正２３】
【補正対象書類名】明細書
【補正対象項目名】００３２
【補正方法】変更
【補正の内容】
【００３２】
２２．ユーザインターフェースはさらに、カッターの動作をそれぞれ示すための複数の可視インジケータを含んでおり、可視インジケータは表示された画像ではトウに対して可視的に関連可能な関係で整列されており、それによって不一致を有するトウはその不一致を有するトウを切断するために使用されるカッターの動作に関連されることができる態様２１記載のシステム。
【手続補正２４】
【補正対象書類名】明細書
【補正対象項目名】００３３
【補正方法】変更
【補正の内容】
【００３３】
２３．前記相関手段は画像解析プログラムを含んでいる態様１６記載のシステム。
【手続補正２５】
【補正対象書類名】明細書
【補正対象項目名】００３４
【補正方法】変更
【補正の内容】
【００３４】
２４．自動化ファイバ配置マシンでトウを長さに切断するために使用されるカッターの動作を監視するシステムにおいて、
各カッターの付勢を検出し、カッターの付勢をそれぞれ表すタイミング信号を発生する装置と、
前記タイミング信号を受信し符合化する制御装置と、
検出器装置から制御装置へタイミング信号の転送を遅延する時間遅延装置と、
配置されているトウを照明するための照明システムと、
照明されたトウの画像を記録する記録システムと、
記録された画像を解析し、配置されたトウの不一致を検出する画像解析プログラムを含み、配置されたトウの検出された不一致を、不一致を有するトウの切断に使用されるカッターの動作と相関するように動作可能であるプログラムされたコンピュータと、
不一致を有する配置されたトウをカッター動作状態の相関された指示により可視的に表示するためのディスプレイとを具備しているシステム。
【手続補正２６】
【補正対象書類名】明細書
【補正対象項目名】００３５
【補正方法】変更
【補正の内容】
【００３５】
２５．自動化ファイバ配置マシンでファイバトウを長さに切断するために使用されるカッターの動作を監視する方法において、
マシンにより配置されたトウの行を照明し、
照明されたトウの画像を記録し、
各カッターがトウを切断するように付勢されるときを検出し、
カッターが付勢されたときの時間点を表すタイミング信号をそれぞれ発生し、
不一致を表す可能性がある記録された画像中の特性を測定し、特性測定の結果を基準標準のセットと比較することを含めて、記録された画像を使用してトウの配置の不一致を検出し、
検出された不一致を、発生されたタイミング信号を使用してカッターの付勢と相関し、
記録された画像を可視的に表示し、
表示された画像中にトウに近い各カッターの動作状態をそれぞれ可視的に表示するステップを含んでいる方法。